(57)【要約】  【課題】写真画像に、実際の寸法に対応したスケール画像を重ねて表示するスケール表示機能を実現すること。  【解決手段】本発明にかかる画像処理装置は、記録メディアに記録された写真画像を画像処理手段によって画像処理して表示する画像処理装置において、特定物品の実際の寸法データが予め登録された記憶手段と、写真画像中の前記特定物品の寸法情報と、前記記憶手段に登録された前記特定物品の実際の寸法データとの比率に基づいて、写真画像の縮尺情報を算出する算出手段と、算出された縮尺情報に対応したスケール画像を生成する生成手段と、生成されたスケール画像を、写真画像と共に表示する表示手段とを備えた。【選択図】      図３
2007043528.tif 000002
【特許請求の範囲】
【請求項１】
記録メディアに記録された写真画像を画像処理手段によって画像処理して表示する画像処理装置において、
特定物品の実際の寸法データが予め登録された記憶手段と、
写真画像中の前記特定物品の寸法情報と、前記記憶手段に登録された前記特定物品の実際の寸法データとの比率に基づいて、写真画像の縮尺情報を算出する算出手段と、
算出された縮尺情報に対応した画像を生成する生成手段と、
生成された画像を、写真画像と共に表示する表示手段と
を備えたことを特徴とする画像処理装置。
【請求項２】
前記生成手段は、算出された縮尺情報に対応したスケール画像を生成することを特徴とする請求項１に記載の画像処理装置。
【請求項３】
写真画像中における特定の２点を指定する指定手段を備えると共に、
前記生成手段は、前記特定の２点を結ぶ線分の寸法を、前記算出された縮尺情報に基づいて算出した画像として生成することを特徴とする請求項１に記載の画像処理装置。
【請求項４】
前記表示手段にて表示された画像を記録媒体に出力する出力手段を備えたことを特徴とする請求項１、２、３の何れか１項に記載の画像処理装置。
【発明の詳細な説明】
【技術分野】
【０００１】
本発明は、画像情報に含まれる要素の実際の寸法に対応する情報を、前記画像情報と合成して表示もしくは出力する技術に関するものである。
【背景技術】
【０００２】
一般顧客が、デジタルカメラなどの撮影手段を用いて自分で撮影して記録したデジタル画像等の画像を、高品質のプリントとして出力したい場合に、ラボなどの店頭のデジタル画像受付装置を使用する場合がある。
そのようなデジタル画像受付装置として、例えば特開２００３−７６７７４号公報（特許文献１）には、デジタルカメラで撮影された画像情報を保存したスマートメディア、コンパクトフラッシュ（登録商標）、個人が画像情報を保存したＣＤ−ＲＯＭ、ＭＯ等の複数種類の形式の記憶媒体（以下、これらを記録メディアと称する）からプリント出力の注文対象となる画像情報を読み取り、このプリント出力に関するプリント枚数等の注文情報を受け付けるデジタル画像受付装置が開示されている。
このようなデジタル画像受付装置は、顧客が持ち込んだ画像情報が保存された記録メディアを、対応する記録メディア読取手段にセットすることにより、この受付装置に備えた液晶画面に対して、前記記録メディアに保存されている画像情報をサムネイル画像で表示すると共に、この液晶画面に備えたタッチパネルを介してプリントの要否等のプリント注文に関連する注文情報の入力を行うことが可能となっている。
このようにしてデジタル画像受付装置から入力されたプリント情報はデータ伝送ネットワーク等を介してプリント装置に送られる。このプリント装置は、デジタル画像受付装置から順次送られてくるプリント情報に含まれている画像情報を用いてその複写画像を銀塩印画紙等に形成するものである。
【０００３】
【特許文献１】特開２００３−７６７７４号公報
【発明の開示】
【発明が解決しようとする課題】
【０００４】
以上のように、デジタル画像受付装置を使用する場合に限らず、撮影した画像に含まれる物体などの各要素の実際の寸法を知りたい場合がある。
例えば、釣り上げた魚の写真を撮影した場合には、その大きさを判断するために、ものさしやタバコなどの大きさが既知の物品を、前記魚と一緒に撮影することが行われている。
【０００５】
しかし、ものさしを一緒に撮影する方法の場合には、撮影時にものさしが無いときには対応できないという問題があった。また、タバコなどの物品を一緒に撮影した場合には、画像中のタバコなど物品の寸法を測定し、前記タバコと同じ種類のタバコの実際の寸法との比を算出して、前記画像の縮尺を算出しておき、画像中の知りたい部分の寸法を測定して、前記縮尺に基づいて換算して、前記部分の実際の寸法を算出するという手間が必要であった。
以上のように、画像中の実際の寸法を知ることは容易ではないという問題があった。
【０００６】
そこで、本発明は、画像情報に含まれる特定の要素の実際の寸法を、予め記憶しておいた情報に基づいて算出し、その結果に基づいて作成したスケール画像を、前記画像情報と合成して表示もしくは出力するスケール表示機能を実現することを目的としてなされたものである。
【課題を解決するための手段】
【０００７】
本発明にかかる画像処理装置は、
記録メディアに記録された写真画像を画像処理手段によって画像処理して表示する画像処理装置において、
特定物品の実際の寸法データが予め登録された記憶手段と、
写真画像中の前記特定物品の寸法情報と、前記記憶手段に登録された前記特定物品の実際の寸法データとの比率に基づいて、写真画像の縮尺情報を算出する算出手段と、
算出された縮尺情報に対応した画像を生成する生成手段と、
生成された画像を、写真画像と共に表示する表示手段と
を備えたことを特徴としている。
請求項２では、前記生成手段は、算出された縮尺情報に対応したスケール画像を生成することを特徴としている。
請求項３では、写真画像中における特定の２点を指定する指定手段を備えると共に、
前記生成手段は、前記特定の２点を結ぶ線分の寸法を、前記算出された縮尺情報に基づいて算出した画像として生成することを特徴としている。
請求項４では、前記表示手段にて表示された画像を記録媒体に出力する出力手段を備えたことを特徴としている。
【発明の効果】
【０００８】
本発明にかかる請求項１の画像処理装置では、
写真画像中の特定物品の寸法情報と、予め記憶手段に登録された前記特定物品の実際の寸法データとの比率に基づいて、写真画像の縮尺情報を算出して、算出された縮尺情報に対応した画像を生成して、写真画像と共に表示するので、写真画像中の物品や特定の部分の寸法を認識しやすいという効果が得られる。
請求項２では、縮尺情報に対応したスケール画像を表示するので、写真画像中の物品や特定の部分の寸法を、前記スケール画像に対比させて認識しやすいという効果が得られる。
請求項３では、写真画像中における特定の２点を結ぶ線分の寸法に対応した画像を表示するので、直接的に認識できるという効果が得られる。
請求項４では、印画紙等の記録媒体に出力するので、写真プリント等の状態で得ることができる。
【発明を実施するための最良の形態】
【０００９】
以下、本発明の実施の形態を図面に基づいて説明する。
図１にブロック図を示した画像処理装置において、
１はデジタル画像受付装置（以下、受付装置と略称する）であり、複数の記録メディア読取装置Ｒ１，Ｒ２，Ｒ３，Ｒ４，・・・・と、タッチパネル式の液晶ディスプレイ装置２と、レシート発行装置３と、制御装置４とを備えている。
前記制御装置４は、本願独自のスケール表示機能のために、種々の識別名ごとに、当該識別名に対応した物品（要素）の実際の寸法データが、例えばデータテーブルの形態で予め登録された記憶手段４１を備えており、また、前記各装置を系統的に制御するとともにネットワークを介した通信機能等の種々の機能を備えている。
前記記憶手段４１に登録されているデータテーブルの一部を表１に例示する。
【００１０】
【表１】
2007043528.tif 000003
【００１１】
５はデジタル型の写真プリント装置であり、銀塩式の印画紙に写真画像のプリント（いわゆる複写画像の形成）を行う。前記受付装置１は、１台もしくは複数台がネットワークを介して写真プリント装置と接続されてプリントシステムを構成している。
前記受付装置１にはスキャナが接続されている場合もある。
【００１２】
以上のような受付装置１の記録メディア読取装置に、顧客は、デジタルカメラで撮影された写真画像を含む画像情報を保存した複数種類の形式の記録メディアを自分で装着するとともに、タッチパネル式のディスプレイ装置２の画面を見ながら適宜操作して、プリント出力の注文対象となる画像情報を指定するともに、このプリント出力に関するプリント枚数等の注文情報を入力する。
顧客は、受付装置１のレシート発行装置３から発行される受付証を、ＤＰ店のカウンターで担当者に提示することにより、その担当者が受付証に記録された受付情報に基づき、写真プリント装置５からの操作で受付装置１に格納されている該当する画像情報と注文情報からなるプリント情報をネットワークを介して取込み、このプリント情報に基づいて、写真プリント装置５でプリントを行い、顧客に仕上がりプリントＰを手渡す手順となっている。
【００１３】
前記写真プリント装置５は、前記受付装置１からネットワークを介して受け取った画像情報に基づいた写真画像を、感光材（印画紙）にレーザー露光させる露光部５１と、ロール状に巻回された印画紙を収納し、所定サイズに切断して露光部５１に順次供給する感光材収納部５２と、露光部５１で露光された印画紙を現像、漂白定着及び安定処理する現像部４３及び安定処理された印画紙を乾燥する乾燥部５４等で構成されている。なお、前記露光部５１はレーザー露光方式に限らず、その他蛍光ビーム方式、液晶シャッター方式、ＤＭＤ方式又はＦＯＣＲＴ等の使用が可能である。
また、前記写真プリント装置５には、キーボードやマウスからなる操作卓や種々の制御情報の表示やプレジャッジ時のシミュレート画像の表示を行うモニタ、さらには受付装置１で取得した画像情報をＣＤ−Ｒ等の記録媒体に焼き付けるためのドライブ装置も備えている。
【００１４】
前記受付装置１は、図２に示したように、熱昇華型プリンタ７と貨幣受入装置８を内蔵した筐体９の上部に固定されて使用される場合もある。
図２に示したように、受付装置１の筐体１０の上面には表示面にタッチパネルを形成した液晶ディスプレイ装置２を備え、筐体１０の上面で液晶ディスプレイ装置２の前面には、マルチメディアカードＭ１用の記録メディア読取装置Ｒ１、メモリスティックＭ２用の記録メディア読取装置Ｒ２、スマートメディアＭ３用の記録メディア読取装置Ｒ３、コンパクトフラッシュ（登録商標）Ｍ４用の記録メディア読取装置Ｒ４、ＵＳＢ接続ポートＵ、赤外線通信装置等を備えたユニットＲＵが、固定ネジ１１によって取り付けられている。さらに、筐体１０の前面側には受付証を発行するレシート発行装置３を備えている。
なお、前記各記録メディアには画像情報を書き込むこともできる。
【００１５】
図２に示した構成の場合には、顧客が前記同様に受付装置１からプリント情報を入力した後、自分で必要な貨幣を貨幣受入装置８の投入口８１,８２に投入すると、所定時間後に熱昇華型プリンタ７にて自動的にプリントされた仕上がりプリントＰが取り出し口７１から排出される。
【００１６】
次に、前記制御装置４の機能のうち、本発明の特徴的な機能である、写真画像中の各要素から実際の寸法に対応した情報を得る機能について説明する。
この機能は、図３に示したフローチャートで表せるソフトウエアによって実現されている。
図３において、
ステップＳ１において、顧客が受付装置１の記録メディア読取装置Ｒ１，Ｒ２，Ｒ３，Ｒ４，・・・・の何れかにセットした記録メディアから読み取った画像情報に基づいた写真画像を、前記液晶ディスプレイ装置２の画面に、例えば複数個サムネイル表示する。
ステップＳ２において、スケール表示させたい画像をマウスなどのポインティング手段で指定すると、そのコマの画像だけが、例えば図４の（ａ）に示したように拡大表示される。
【００１７】
ステップＳ３において、表示された写真画像の中の、寸法が予め登録されている特定の要素（例えばタバコ６１の長辺など）をマウスなどの指定手段を用いて指定する。
ステップＳ４において、指定された特定の識別名（例えば、分類＝タバコ、商品名＝ＬＫ）と、要素（例えば長辺）を指定する。この識別名の指定はポップアップ表示されたリストから選択しても、個別に入力してもよい。
ステップＳ５においては、ステップＳ３で指定された特定の要素の領域を画像認識技術によって画像認識して、特定の要素の所定の部位（例えば長辺）の画像中での寸法情報（例えばＮ１ドット。斜めの寸法の場合には縦方向のドット数と、横方向のドット数から斜めの線分のドット数を算出する。）を抽出する。この寸法情報とは画像のピクセル数やドット数などに対応して表現される寸法に対応した情報である。
【００１８】
そして、前記記憶手段４１に記憶されている表１のようなデータテーブルを参照して、ステップＳ４で指定された識別名に対応する寸法データ（例えばＬ１ｃｍ）を得て、前記抽出した寸法情報と対比させて、画像中での寸法情報と実際の寸法との換算比率（例えば１ドット当たりＬ１／Ｎ１  ｃｍ）を算出する。（算出手段に対応。）
ステップＳ６においては、図４の（ｂ）に示したように、前記得られた換算比率に基づいた目盛（例えば１ドット当たりＬ１／Ｎ１  ｃｍの目盛）が付されたスケール（目盛）画像を生成して（生成手段に対応。）、そのスケール画像６２を前記表示された画像に重ねて前記液晶ディスプレイ装置２の画面上に表示する（表示手段に対応。）。
なお、図４の（ｃ）に示したように、前記表示された画像中の任意の２点６３、６４を指定することによって、その２点間の寸法情報（例えばＮ２ドット）を、前記得られた換算比率に基づいて実際の寸法に換算して、その寸法（例えばＮ２×Ｌ１／Ｎ１  ｃｍ）を、画像に重ねて数値表示６５してもよい。このとき、前記２点間を結ぶ寸法線６６を表示してもよい。
【００１９】
このように任意の２点を指定すると、スケール画像６２とは非平行の斜めの寸法も表示しやすいという効果が得られる。また、３点以上の点を順次指定することによって、非直線部分の寸法であっても折れ線状に近似して寸法を表示することができる。
また、前記スケール画像や寸法線などの画像パターンは、予め複数種類を記憶手段４１などに登録しておき、表示するときに選択できるようにするとよい。
【００２０】
このようなスケール画像や、数値表示は、表示手段としての液晶ディスプレイ装置２の画面上に表示させるだけでもよいが、そのコマの画像と合成して、出力手段としての前記写真プリント装置５に伝送して印画紙５にプリント出力することもできる。
【００２１】
このように、画像中の要素の実際の寸法を知ることができるので、工事写真や標本の写真のように、実際の寸法情報を必要とする分野に対して、効果的な画像を得ることができる。これは、工事写真等にかぎらず、一般の写真においても、子供の成長期録や釣果の記録写真等に効果的である。
【００２２】
なお、画像データにＥＸＩＦ情報等の撮影時の焦点距離情報が含まれている場合には、その焦点距離情報と、撮影したカメラの有効画素数やＦ値等の情報に基づいて、画像の換算比率を得て、画像中に適切なスケール画像を挿入したり、画像中に指定した特定の線分の実際の寸法を挿入したりすることも可能である。
【産業上の利用可能性】
【００２３】
本発明の画像処理装置は、写真処理用の受付装置に限らず、ディスプレイ装置を備えたコンピュータによる写真処理装置等に広く応用することができる。
【図面の簡単な説明】
【００２４】
【図１】本発明の写真処理装置のブロック構成図である。
【図２】前記写真処理装置に用いる受付装置の斜視図である。
【図３】前記写真処理装置における処理動作のフローチャートである。
【図４】前記写真処理装置における表示画面の例である。
【符号の説明】
【００２５】
１    受付装置、写真処理装置
２    液晶ディスプレイ装置、表示手段
４    制御装置（指定手段、算出手段、生成手段）
４１  記憶手段
５    写真プリント装置、出力手段
【図１】
2007043528.tif 000004
【図２】
2007043528.tif 000005
【図３】
2007043528.tif 000006
【図４】
2007043528.tif 000007